(57)【要約】【課題】筆記具を水平面上に放置した状態で、軸筒の任意の面が、常に略上面にくる筆記具を提供する。【解決手段】軸筒内に筆記体を配設し、回り止め用の突部を一体に形成又は付設した筆記具において、前記突部が水平面上に当接した状態で、前記軸筒の水平面との接点からの垂線に対し、筆記具の径方向における重心位置が、前記垂線に対して突部に対向する位置にすることにより、前記筆記具を水平面上に放置した状態で、常に前記回り止め用の突部が略上面になる。【選択図】      図１
2004148720.tif 000002
【特許請求の範囲】
【請求項１】
軸筒内に筆記体を配設し、回り止め用の突部を一体に形成又は付設した筆記具において、前記突部が水平面上に当接した状態で、前記軸筒の水平面との接点からの垂線に対し、筆記具の径方向における重心位置が、前記垂線に対して突部に対向する位置にすることにより、前記筆記具を水平面上に放置した状態で、常に前記回り止め用の突部が略上面になることを特徴とする筆記具。
【請求項２】
前記突部が、クリップ部材であることを特徴とする請求項１に記載の筆記具。
【請求項３】
前記軸筒の常に略上面となる面に、絵柄及び／又は文字を設けたことを特徴とする請求項１ないし２に記載の筆記具。
【請求項４】
前記突部の径方向に対して対向する軸筒の外周面を平坦状にしたことを特徴とする請求項１ないし３のいずれか１項に記載の筆記具。
【発明の詳細な説明】
【０００１】
【発明の属する技術分野】
本発明は、筆記具を水平面上に放置した状態で、軸筒の任意の面が、常に略上面になる筆記具に関する。
【０００２】
【従来の技術】
【特許文献１】
「特開平１０−２１７６７６号」
【特許文献２】
「特開平１１−２４５６３号」
【０００３】
【従来技術】
ボールペン等の筆記具においては、略円筒状の軸筒内にボールペンレフィルを配設しているため、筆記具を水平面上、例えば机等に放置した状態では放置した状態のままに軸筒は停止している。また放置する時に水平面に対し平行方向に力が加わると、重力や自重等により力が消費するまで回転して停止する。
【０００４】
こうした筆記具において、軸筒の外周面に突部を形成したり、クリップ部材を設けることにより、軸筒が回転しても突部やクリップ部材が水平面に当接することで、軸筒の回転を防止することができる。
【０００５】
ところで、一般的に筆記具の軸筒の外周面には、商品名やメーカー名を印刷等によって表示している。この表示面は任意に設定されるが、クリップ部材を設けているものは、クリップ部材に表示している。
【０００６】
【発明が解決しようとする課題】
しかし、前述したように筆記具を水平面上、例えば机等に放置した状態では、放置したままの状態或いは軸筒が回転し突部やクリップ部材が水平面に当接した状態で静止するため、筆記具の軸筒の外周面に印刷等で表示した、商品名やメーカー名の表示面が略上面にくるものではないという問題があった。
【０００７】
特に、陳列ケースや店頭に筆記具を並べる場合には、クリップ位置や表示面がバラバラだと見栄えが悪く、ユーザーが目視しやすいように上面にくるように並べ替える必要あった。また、一度並べた筆記具が回転しないように、一本毎に仕切り等を設ける必要があった。
【０００８】
本発明者は上記問題を鑑み、筆記具を水平面上に放置した状態で、軸筒の任意の面が、常に略上面にくる筆記具を提供することを目的とするものである。
【０００９】
【課題を解決するための手段】
本発明は前記目的を達成するために、軸筒内に筆記体を配設し、回り止め用の突部を一体に形成又は付設した筆記具において、前記突部が水平面上に当接した状態で、前記軸筒の水平面との接点からの垂線に対し、筆記具の径方向における重心位置が、前記垂線に対して突部に対向する位置にすることにより、前記筆記具を水平面上に放置した状態で、常に前記回り止め用の突部が略上面になるものである。
【００１０】
また、前記突部が、クリップ部材とするものである。
【００１１】
さらには、前記軸筒の常に略上面となる面に、絵柄及び／又は文字を設けるものである。
【００１２】
さらには、前記突部の径方向に対して対向する軸筒の外周面を平坦状にする。
【００１３】
本発明における軸筒の常に略上面となる面とは、突部を形成している軸筒の表面で、かつ回り止め用の突部が略上面となった時に、同様に略上面となる軸筒の表面や突部の表面のことである。
【００１４】
【発明の実施の形態】
本発明の実施の形態を図面を用いて説明する。図１から図５に示す第１の実施の形態の筆記具１は、後軸３に、後軸の後端３ａより外側に突出するように、先端にカム部（図示せず）を有するノック体４を配設し、さらに回転カム５を、回転カム５の突起が後軸３内に形成したカム溝（図示せず）に係合するように順次配設する。
【００１５】
さらに、前軸２内に、インキ収容筒６の内部に剪断減粘性インキ（図示せず）を直詰めして収容し、先端にボールを回転自在に抱持したボールペンチップからなるペン先部８を、チップホルダー７を介して装着し、後端に尾栓９を有したボールペンレフィル１０を、コイルスプリング１１により前軸２の後端方向に付勢し摺動自在に配置する。前軸２には、グリップ部材１４を一体に設けてあり、この前軸２と前記後軸３を螺合Ｒし筆記具１を得ている。
【００１６】
ノック体４を押圧することにより、回転カム５による筆記体出没機構が作動し、ボールペンレフィル１０がコイルスプリング１１の弾発力に抗して前進し、図２に示すようにペン先部８が前軸２の先端開口部２ａより突出し、その状態を維持して筆記可能とすることができる。
【００１７】
後軸３内には、図４に示すようにクリップ部材１３の中心Ｋから軸心Ｊに延びる線と重心Ｇが一直線上に作用するように重錘部材１２を接着により配設することで、水平面に対しクリップ部材１３が上面を向いた状態が維持される。また、何かの外力により、この平衡が崩れると筆記具１は傾動するが、後軸３には回り止めの突部となるクリップ部材１３が一体に形成してあるので、クリップ部材１３が水平面に当接して停止する。
【００１８】
この時、図５の１−１に示すように、後軸３の水平面Ｈとの接点Ｔからの垂線Ｓに対し、筆記具１の径方向における重心位置Ｇが、前記垂線Ｓに対しクリップ部材１３に対向する位置（垂線Ｓよりも外側）に重錘部材１２を配設してある。その結果、重心Ｇからの力（矢印Ｗ）が、転倒した反対の方向に復帰力として作用し、クリップ部材１３が上面を向いた状態（図５の１−３）に復帰する。また、図示はしていないが、クリップ部材１３の表面１３ａには文字が印刷されている。
【００１９】
ところで、実際には復帰速度が大きいときには、軸筒は円筒状で形成してあるので、復帰状態を通り過ぎてしまい反対側に傾動する。このような傾動を繰り返しつつ水平面に対しクリップ部材が上面を向いた状態に復帰する。
【００２０】
また、図４の仮想線Ｌで示したように、後軸３のクリップ部材１３の径方向に対して対向する外周面を平坦状にすることによって、クリップ部材１３が上面を向いた状態を安定して維持できるので好ましい。
【００２１】
本実施の形態では、便宜上、重錘部材を配設することで筆記具おける重心位置を調整しているが、筆記具を構成する部品の材質や肉圧、或いは配設位置等によって重心位置を調整してもよい。また本実施の形態では、便宜上、回転カムによるノック式筆記具を例示しているが、他の出没機構を有する筆記具やキャップ式等、特に限定することなく実施することができる。また、重錘部材の配設方法は接着や嵌合等、ノック操作や転がり等では移動しないように装着してあれば特に限定されない。
【００２２】
また、本発明に使用する筆記具用インキは特に限定されるものではない。また、本発明の筆記具は、ノック式、キャップ式等、特に限定されるものではないが、前述したようにクリップ付の筆記具や、軸筒外周面に商品名やメーカー名等を印刷してある場合には本発明の効果は特に顕著である。
【００２３】
【発明の効果】
本発明のノック式筆記具は前述した構成なので、筆記具を水平面上に放置した状態で、軸筒の任意の面が、常に略上面にくる筆記具を提供することができた。
【図面の簡単な説明】
【図１】第１の実施の形態の筆記具を示す縦断面図である。
【図２】図１における、ペン先部が突出した状態を示す図である。
【図３】図１における、要部拡大断面図である。
【図４】図１における、Ａ−Ａ断面図である。
【図５】第１の実施の形態における筆記具の復帰状態を示す状態図である。
【符号の説明】
１  筆記具
２  前軸
２ａ  先端開口部
３  後軸
３ａ  後端部
４  ノック体
５  回転カム
６  インキ収容筒
７  チップホルダー
８  ペン先部
９  尾栓
１０  ボールペンレフィル
１１  コイルスプリング
１２  重錘部材
１３  クリップ部材
１４  グリップ部材
Ｇ  重心
Ｈ  平坦面
Ｓ  垂線
Ｔ  接点
【図１】
2004148720.tif 000003
【図２】
2004148720.tif 000004
【図３】
2004148720.tif 000005
【図４】
2004148720.tif 000006
【図５】
2004148720.tif 000007